(57)【要約】【課題】髪の先端部分までをも十分に保護及び吸水ができ、使い勝手のよい筒状物を提供することにある。【解決手段】筒状物１は、吸水性繊維からなるタオル地２を一端６ａと他端６ｂの径が異なるように筒状に形成し、周方向に伸縮する弾性糸が蛇腹状に配された弾性体５と、一端６ａ側に配された被掛止体３と、他端６ｂ側に配され、被掛止体３に掛止する掛止体４と、を有する。【選択図】図１
2010167273.tif 000002
【特許請求の範囲】
【請求項１】
吸水性繊維からなるタオル地を一端と他端の径が異なるように筒状に形成した筒状物であって、
周方向に伸縮する弾性糸が蛇腹状に配された弾性体と、
前記一端側に配された被掛止体と、
前記他端側に配され、前記被掛止体に掛止する掛止体と、
を有することを特徴とする筒状物。
【請求項２】
前記弾性体の長手方向に複数の掛止体を有することを特徴とする請求項１記載の筒状物。
【発明の詳細な説明】
【技術分野】
【０００１】
本発明は、洗髪後の髪の保護及び吸水に利用することができる吸水性繊維からなる筒状物に関する。
【背景技術】
【０００２】
洗髪後の髪を乾かすために、長方形のタオルを顔（額）に巻き付けて髪全体を覆ったり、特許文献１に開示された筒状物を用いることが知られている。
【０００３】
特許文献１に開示された筒状物は、伸縮性に富んだ両面パイル地でもって、顔の側面を覆うことにより、洗髪後の髪の保護及び吸水に利用することができるものである。
【０００４】
【特許文献１】特開２００５−３２０６５０号公報（図７）
【発明の開示】
【発明が解決しようとする課題】
【０００５】
しかしながら、上述の筒状物では、髪の周囲を被覆することができるものの、髪全体を被覆することができないために、洗髪後の髪の保護及び吸水が十分であるとはいえない。
【０００６】
また、首周りに嵌め入れることができるように同径の筒状に形成された上述の筒状物では、筒状物と髪の周囲部分との接触は確保されるが、筒状物と髪の先端部分との接触が小さいために、髪全体を被覆し得たとしても、洗髪後の髪の先端部分の保護及び吸水が十分であるとはいえない。
【０００７】
特に長髪の使用者としては、髪を束ねるには筒状物の上から行うしかなく、現実的に髪を束ねることができずに、使い勝手がよくない。
【０００８】
本発明は、このような点に鑑みてなされたものであり、その目的は、髪の先端部分までをも十分に保護及び吸水ができ、使い勝手のよい筒状物を提供することにある。
【課題を解決するための手段】
【０００９】
以上のような課題を解決するために、本発明の筒状物は、吸水性繊維からなるタオル地を一端と他端の径が異なるように筒状に形成し、周方向に伸縮する弾性糸が蛇腹状に配された弾性体と、前記一端側に配された被掛止体と、前記他端側に配され、前記被掛止体に掛止する掛止体と、を有することを特徴とする。また、本発明の筒状物は、弾性体の長手方向に複数の掛止体を有することを特徴とする。
【００１０】
本発明によれば、吸水性繊維からなるタオル地を一端と他端の径が異なるように筒状に形成していることから、径の大きい部分で額を覆い、径の小さい部分で髪の先端を覆うことで、髪全体を被覆して洗髪後の髪の保護及び吸水を十分に行うことができる。また、他端側の掛止体を一端側の被掛止体に掛止することによって、筒状物を介して髪が束ねられたのと同様になり、長い髪であっても髪全体を被覆しつつ、径の小さい部分で髪の先端を覆うことができる使い勝手のよいものとなる。さらに、弾性体の長手方向に複数の掛止体を有することによって、使用者の髪の長さに応じて掛止体を掛止することができる調節機能を付加することができる。
【発明の効果】
【００１１】
以上説明したように、本発明は、洗髪後の髪の保護及び吸水に利用することができる吸水性繊維からなる筒状物として、髪全体を被覆することができ、使い勝手のよいものである。
【発明を実施するための最良の形態】
【００１２】
以下、本発明の実施の形態に係る筒状物について、図面を参照して説明する。
【００１３】
図１及び図２は、本発明の実施の形態に係る筒状物１の外観図であり、図１は正面外観図、図２は背面外観図である。
【００１４】
筒状物１は、吸水性繊維からなるタオル地２を一端と他端の径が異なるように筒状に形成し、一端の径を律する下部開口部６ａが他端の径よりも相対的に大きく、他端の径を律する上部開口部６ｂが一端の径よりも相対的に小さくなっている。すなわち、筒状物１は、下部開口部６ａから上部開口部６ｂにかけて漸次小さくなる（萎んでいく）ように形成される。筒状物１は、ポリエステル８０％、ナイロン２０％のマイクロファイバーで、吸水性繊維の断面形状は通常の丸い形ではなく、鋭角断面のため、従来は50〜118mmlの吸水量であったものが、113〜131mmlと向上しており、また、１秒以内で急速に吸収することができる（JIS企画のマイクロファイバー吸水量実験）。
【００１５】
筒状物１の下部開口部６ａ付近には、被掛止体としてのボタン３が配されており、筒状物１の上部開口部６ｂ付近には、ボタン３に掛止する掛止体としての弾性ゴム４が配されている。詳述すると、筒状物１を折り畳んで上開口部６ｂを下開口部６ａに近づけて弾性ゴム４をボタン３に掛けるときに上開口部６ｂが閉じるように、ボタン３を正面に弾性ゴム４を背面に配置するようにしている（図３参照）。
【００１６】
また、筒状物１には、周方向に伸縮する弾性糸が蛇腹状に配された弾性体５が配されている。弾性体５は、筒状物１の内周面に配されており、各々の弾性糸の締め付け具合を異ならせることによって、筒状物１を下部開口部６ａから上部開口部６ｂにかけて漸次小さくなる（萎んでいく）ように形成することができる。
【００１７】
本発明の実施の形態に係る筒状物１の使用例は、まず、筒状物１を頭から被って首まで下げる。このとき、ボタン３が下に、弾性ゴム４が上にくるようにする。また、髪は全部筒状物１外に出す。次に、髪を筒状物１内に収容しながら筒状物１を引き上げていき、髪全体を筒状物１内に収容する。最後に、筒状物１を図３のように折り畳んで、弾性ゴム４をボタン３に掛ける。
【００１８】
このように、筒状になっているので、髪を筒状物１内に簡単に包み込むことができる。また、筒状物１全体に弾性体５があるため、髪の毛全体を程よく締め付けることができ、髪の毛の先端まで密着して吸水することができる。
【００１９】
図４及び図５は、本発明の他の実施の形態に係る筒状物１の外観図であり、図４は筒状物の背面外観図、図５は、筒状物を折り畳んだ状態を示す図である。
【００２０】
図４及び図５と図２及び図３に示す筒状物１との相違は、弾性ゴム４が複数設けられていることにある。筒状物１の長手方向（周方向に直交する方向）に複数の弾性ゴム４を有する筒状物１にあっては、複数の弾性ゴム４のうち何れか１つをボタン３に掛けることで、髪の長さに応じて髪全体を適切に被覆することができる。
【産業上の利用可能性】
【００２１】
本発明に係る筒状物は、洗髪後の髪の保護及び吸水に利用することができるものとして有用である。
【図面の簡単な説明】
【００２２】
【図１】本発明の実施の形態に係る筒状物の正面外観図である。
【図２】本発明の実施の形態に係る筒状物の背面外観図である。
【図３】本発明の実施の形態に係る筒状物を折り畳んだ状態を示す図である。
【図４】本発明の他の実施の形態に係る筒状物の背面外観図である。
【図５】本発明の他の実施の形態に係る筒状物を折り畳んだ状態を示す図である。
【符号の説明】
【００２３】
１  筒状物
２  タオル地
３  ボタン（被掛止体）
４  弾性ゴム（掛止体）
５  弾性体
６ａ  下部開口部
６ｂ  上部開口部
【図１】
2010167273.tif 000003
【図２】
2010167273.tif 000004
【図３】
2010167273.tif 000005
【図４】
2010167273.tif 000006
【図５】
2010167273.tif 000007